(57)【要約】【課題】撮影条件により各種電池を電源として誤操作なく選択使用できる防水デジタルカメラの提供。【解決手段】充電型電池５０や円柱型電池３４は、開閉蓋１２の遮蔽でパッキン部材４２、４３で収納室３１内に防水密閉収容され雨天下撮影が可能になり、ダミー電池５６は開閉蓋１２が解放され、電源コード５５を外部に導出して収納室３１内に配され、ダミー電源５６の端面５６Ｅと電池固定保持爪６３の係合で、偏倚ばね６０によりレバー部材６１を介し摩擦プレート部材６２に押圧され、カメラを傾けた撮影時の収納室３１から外部への放出落下が防止可能で、ダミー電池５６の取出し時は、電池固定保持爪６３の先端一部が端面５６Ｅの縁部に係止し、外部への放出落下が防止可能で、何れの電池も収納室３１内に安定に保持され、簡単で小型化された構成で各種電池を撮影条件や雰囲気に応じ簡単に選択して、広い撮影条件下での撮影が可能になる。【選択図】        図６
2004191917.tif 000002
【特許請求の範囲】
【請求項１】
電源コードが接続され、該電源コードを介して、外部電源が供給されるダミー電池、または充電型電池が収納される収納室と、該収納室の開口部を解放状態に設定し、または遮蔽状態に設定する開閉蓋とを備えた防水デジタルカメラであり、
前記充電型電池の前記収容室への収納時に、前記開閉蓋により前記収容室の開口部を防水ロックする防水ロック手段と、
前記ダミー電池の前記収容室への収納時に、前記開閉蓋を半開状態に設定し、前記電源コードをカメラ本体から外部に導出した状態で、前記ダミー電池を前記収納室内に固定保持する固定保持手段と
を有することを特徴とする防水デジタルカメラ。
【請求項２】
電源コードが接続され、該電源コードを介して、外部電源が供給されるダミー電池、充電型電池及び両端面に電極端子を備えた円柱型電池の何れかが収納される収納室と、該収納室の開口部を解放状態に設定し、または、遮蔽状態に設定する開閉蓋とを備えた防水デジタルカメラであり、
前記充電型電池の前記収納室への収納時に、前記開閉蓋により前記収納室の開口部を防水ロックする第１の防水ロック手段と、
前記円柱型電池の前記収納室への収納時に、前記開閉蓋に具備された導電接片が、前記電極端子に接触した状態で、前記開閉蓋により前記収納室の開口部を防水ロックする第２の防水ロック手段と、
前記ダミー電池の前記収納室への収納時に、前記開閉蓋を半開状態に設定し、前記電源コードをカメラ本体から外部に導出した状態で、前記ダミー電池を前記収納室内に固定保持する固定保持手段と
を有することを特徴とする防水デジタルカメラ。
【請求項３】
収納室の開口部がカメラ本体の一方の側面に設けられ、開閉蓋が前記開口部の一縁辺部を中心に開閉自在に取り付けられていることを特徴とする請求項１または請求項２記載の防水デジタルカメラ。
【請求項４】
固定保持手段のダミー電池の保持部材は、収納室内において、円柱型電池の挿入・離脱を阻止しない位置に設けられていることを特徴とする請求項２または請求項３記載の防水デジタルカメラ。
【請求項５】
ダミー電池の一周面に対接して収納室内に配設される摩擦プレート部材と、
前記ダミー電池を前記摩擦プレート部材に押圧する偏倚手段とがさらに設けられ、
固定保持手段が、ロック位置とロック解除位置とに切換自在で、ダミー電池の収納室への収納時に前記ロック位置に切換えられ、前記ダミー電池の開口部側の端面に対接係合して前記ダミー電池を前記収納室内に固定保持し、前記ダミー電池の前記収納室からの取出し時に前記ロック解除位置に切換えられ、前記ダミー電池の前記開口部からの放出を防止するように前記端面の縁部と係止することを特徴とする請求項１ないし請求項４の何れかに記載の防水デジタルカメラ。
【発明の詳細な説明】
【０００１】
【発明の属する技術分野】
本発明は防水機能を備えた防水デジタルカメラに関する。
【０００２】
【従来の技術】
デジタルカメラは、小型化され携帯に便利であり、また、撮影した画像データをパソコンに転送して、各種のデータ処理を行って、得られる画像データに対してプリントを行い、ディスプレイに表示させ、ユーザが利用し易いファイルとして格納することができるので、屋内屋外を問わず各種の分野で広く利用されている。
このために、ユーザがオリジナルな写真集を作成したり、オンラインアルバムを作成するという個人的な利用に限らず、例えば、建築現場で建築の進行情況を撮影して、画像資料として記録格納するなど産業界への利用も拡大している。
このように、各種の撮影現場で様々な撮影雰囲気下で快適に使用するために、デジタルカメラには、小型軽量で携帯性に優れているという条件の他にも、屋外で使用する場合に、悪天候下でも利用可能なように、耐防水性と耐震性にもすぐれていることが条件として要求される。
【０００３】
これらの条件に対応して、従来技術として、デジタルカメラなどの電子機器において、メモリカードや電池など複数のアクセサリが収納される収納部を閉塞する一つの防水蓋を備え、機器本体の開口部を減らし、要防水スペースを減らし部品点数を減少し、さらに防水蓋の開閉時には電子機器の動作を防止することにより安全動作を行なわせ、全体が小型化された電子機器の防水機構が提案されている（後記の特許文献１参照）。
【０００４】
ところで、一般のデジタルカメラには、乾電池を電源に使用するタイプと、充電池を電源に使用するタイプとがあり、前者ではどこでも購入できる乾電池を簡単に交換して使用できる点で便利であり、後者は充電池を繰り返し充電して使用できる点で経済的であるという特徴がある。
しかし、デジタルカメラを室内で使用する場合には、室内のＡＣ電源に接続されるＡＣアダプタ（本明細書ではダミー電池という）を使用することが、便利であり且つ経済的でもあり、デジタルカメラに対して、乾電池、充電池及びダミー電池を、撮影雰囲気に応じて簡単に選択装着して使用できると、デジタルカメラの使用範囲の拡大が期待される。
前述した従来技術では、ダミー電池を使用することは想定しておらず、乾電池、充電池及びダミー電池の選択使用の技術的思想は全く存在しない。
【０００５】
また、電子機器に凹みを備えた電池ボックスを設け、この電子機器に使用する外面に突起を備えたダミー電池を、電池ボックスの凹みにダミー電池の突起を合致させて装着することにより、特定規格のダミー電池を、対応する電子機器に誤挿入なしに装着する電子機器のダミー電池が提案されている（後記の特許文献２参照）。
しかし、この提案された発明では、電池ボックスに挿入されるダミー電池には、ＡＣアダプタを挿入するジャックが設けられることが必要で、構造が複雑になると共に、この発明には、乾電池、充電池及びダミー電池の選択使用の技術的思想は全く存在しない。
【０００６】
【特許文献１】
特開２００１−２１９７９号公報
【特許文献２】
特開２００２−２０８３８８号公報
【０００７】
【発明が解決しようとする課題】
本発明は、前述したようなこの種の電子機器の電源使用の現状に鑑みてなされたものであり、その目的は、撮影条件や撮影雰囲気に応じて、乾電池、充電池及びダミー電池を電源として簡単に誤操作なく選択使用でき、防水性にすぐれた防水デジタルカメラを提供することにある。
【０００８】
【課題を解決するための手段】
前記目的を達成するために、請求項１記載の発明は、電源コードが接続され、該電源コードを介して、外部電源が供給されるダミー電池、または充電型電池が収納される収納室と、該収納室の開口部を解放状態に設定し、または遮蔽状態に設定する開閉蓋とを備えた防水デジタルカメラであり、前記充電型電池の前記収容室への収納時に、前記開閉蓋により前記収容室の開口部を防水ロックする防水ロック手段と、前記ダミー電池の前記収容室への収納時に、前記開閉蓋を半開状態に設定し、前記電源コードをカメラ本体から外部に導出した状態で、前記ダミー電池を前記収納室内に固定保持する固定保持手段とを有することを特徴とするものである。
【０００９】
このような手段によると、電源コードが接続され、該電源コードを介して、外部電源が供給されるダミー電池、または充電型電池が収納される収納室と、収納室の開口部を解放状態に設定し、または遮蔽状態に設定する開閉蓋とが設けられており、充電型電池の収納室への収納時には、防水ロック手段によって、開閉蓋が収納室の開口部を防水ロックするので、充電型電池が電源として収納される収納室の開口部が開閉蓋で防水ロックされた状態で、充電型電池を電源とするデジタルカメラを、雨天時の屋外でも安全に携帯して撮影がスムーズに行なわれる。また、電源コードが接続され、電源コードを介して、外部電源が供給されるダミー電池が電源として収納室に収納される場合は、保持固定手段によって、開閉蓋が半開状態に設定され、電源コードがカメラ本体から外部に導出された状態で、ダミー電池が収納室内に固定保持されるので、ジャック差込コネクタなどの付加部材が不要で、簡単小型化された低製造コストの構成で、ダミー電池を電源とするデジタルカメラによって、室内での撮影がスムーズに行なわれる。
【００１０】
同様に前記目的を達成するために、請求項２記載の発明は、電源コードが接続され、該電源コードを介して、外部電源が供給されるダミー電池、充電型電池及び両端面に電極端子を備えた円柱型電池の何れかが収納される収納室と、該収納室の開口部を解放状態に設定し、または、遮蔽状態に設定する開閉蓋とを備えた防水デジタルカメラであり、前記充電型電池の前記収納室への収納時に、前記開閉蓋により前記収納室の開口部を防水ロックする第１の防水ロック手段と、前記円柱型電池の前記収納室への収納時に、前記開閉蓋に具備された導電接片が、前記電極端子に接触した状態で、前記開閉蓋により前記収納室の開口部を防水ロックする第２の防水ロック手段と、前記ダミー電池の前記収納室への収納時に、前記開閉蓋を半開状態に設定し、前記電源コードをカメラ本体から外部に導出した状態で、前記ダミー電池を前記収納室内に固定保持する固定保持手段とを有することを特徴とするものである。
【００１１】
このような手段によると、電源コードが接続され、該電源コードを介して、外部電源が供給されるダミー電池、充電型電池及び両端面に電極端子を備えた円柱型電池の何れかが収納される収納室と、該収納室の開口部を解放状態に設定し、または、遮蔽状態に設定する開閉蓋とが設けられており、充電型電池の収納室への収納時には、第１の防水ロック手段によって、開閉蓋が収納室の開口部を防水ロックし、円柱型電池の電池室への収納時には、第２の防水ロック手段によって、開閉蓋に具備された導電接片が、円柱型電池の電極端子に接触した状態で、開閉蓋が収納室の開口部を防水ロックするので、充電型電池と円柱型電池とを任意に選択して、充電型電池或いは円柱型電池が、電源として収納される収納室の開口部が開閉蓋で防水ロックされた状態で、充電型電池或いは円柱型電池を電源とするデジタルカメラを、雨天時の屋外でも安全に携帯して撮影がスムーズに行なわれる。
【００１２】
同様に前記目的を達成するために、請求項３記載の発明は、請求項１または請求項２記載の発明において、収納室の開口部がカメラ本体の一方の側面に設けられ、開閉蓋が前記開口部の一縁辺部を中心に開閉自在に取り付けられていることを特徴とするものである。
【００１３】
このような手段によると、請求項１または請求項２記載の発明での作用に加えて、収納室の開口部がカメラ本体の一方の側面に設けられ、開閉蓋がこの開口部の一縁辺部を中心に開閉自在に取り付けられているので、ダミー電池を電源として使用する場合に、カメラ本体を机などに載置した場合に、カメラ本体の側面から電源コードが導出され、開閉蓋も該側面方向に解放されているので、カメラ本体が安定に載置され、カメラ本体の落下事故などの発生が防止される。
【００１４】
同様に前記目的を達成するために、請求項４記載の発明は、請求項２または請求項３記載の発明において、固定保持手段のダミー電池の保持部材は、収納室内において、円柱型電池の挿入・離脱を阻止しない位置に設けられていることを特徴とするものである。
【００１５】
このような手段によると、請求項２または請求項３の何れかに記載の発明の作用に加えて、固定保持手段のダミー電池の保持部材が、収納室内において、円柱型電池の挿入・離脱を阻止しない位置に設けられているので、ダミー電池と円形型電池との交換操作時に、電池の脱離と装着とが交換事故を起こすことなくスムーズに行なわれる。
【００１６】
同様に前記目的を達成するために、請求項５記載の発明は、請求項１ないし請求項４の何れかに記載の発明に、ダミー電池の一周面に対接して収納室内に配設される摩擦プレート部材と、前記ダミー電池を前記摩擦プレート部材に押圧する偏倚手段とがさらに設けられ、固定保持手段が、ロック位置とロック解除位置とに切換自在で、ダミー電池の収納室への収納時に前記ロック位置に切換えられ、前記ダミー電池の開口部側の端面に対接係合して、前記ダミー電池を前記収納室内に固定保持し、前記ダミー電池の前記収納室からの取出し時に前記ロック解除位置に切換えられ、前記ダミー電池の前記開口部からの放出を防止するように前記端面の縁部と係止することを特徴とするものである。
【００１７】
このような手段によると、請求項１ないし請求項４の何れかに記載の発明での作用に加えて、ダミー電池の一周面に対接して収納室内に摩擦プレート部材が配設され、偏倚手段によって、ダミー電池が摩擦プレート部材に押圧され、固定保持手段が、ロック位置とロック解除位置とに切換自在で、ダミー電池の収納室への収納時にはロック位置に切換えられ、ダミー電池の開口部側の端面に対接係合して、ダミー電池は収納室内に安定に固定保持され、ダミー電池の収納室からの取出し時にはロック解除位置に切換えられ、ダミー電池の端面の縁部と係止して、ダミー電池の開口部からの放出が防止されるので、ダミー電池の使用時に、カメラ本体が傾斜姿勢で使用されても、ダミー電池は収納室内に安定に保持固定されると共に、ダミー電池の取出し時にダミー電池の収納室からの放出落下が防止される。
【００１８】
【発明の実施の形態】
［第１の実施の形態］
本発明の第１の実施の形態を、図１ないし図５を参照して説明する。
図１は本実施の形態の構成を示す前面斜視説明図、図２は本実施の形態の構成を示す背面斜視説明図、図３は本実施の形態の円柱型電池収納時の構成を示す断面説明図、図４は本実施の形態の充電型電池収納時の構成を示す断面説明図、図５は本実施の形態のダミー電池収納時の構成を示す断面説明図である。
【００１９】
本実施の形態では、図１の正面斜視図に示すように、カメラを操作するユーザの右手側に右手グリップ２が設けられたほぼ長方体状のデジタルカメラ本体１のほぼ中央に撮影レンズ３が取り付けられ、デジタルカメラ本体１の前面において、撮影レンズ３の上方には、ユーザが目視で被写領域を確認する光学ファインダ５、及び低照度撮影時に補助光を発光するストロボ６が設けられている。
また、デジタルカメラ本体１の上面には、各種の撮影モードの選択を行なう回転型モードダイヤル７が設けられ、この回転型モードダイヤル７の中心位置に、電源のＯＮ−ＯＦＦを行なう電源スイッチ８が設けられ、回転型モードダイヤル７の右手グリップ部２側にシャツタ釦９が、反対側に外部ストロボを取り付けるアクセサリシュー１０が取り付けられている。
【００２０】
さらに、デジタルカメラ本体１のアクセサリシュー１０側の側面位置には、デジタルカメラ本体１内に設けられる図示せぬ外部出力端子を覆う端子蓋１１が取り付けられており、デジタルカメラ本体１の右手グリップ部２位置には、図３に示すように、デジタルカメラ本体１内において、カードスロット部３０が配設され、また、各種の電池が収納される収納室３１の開口部を覆う開閉蓋１２が設けられている。
図３ないし図５に示すように、デジタルカメラ本体１内の収納室３１には、撮影データが記録されるメモリカード３３が着脱自在なカードスロット部３０が配設され、また、この収納室３１には、電源コードが接続されたダミー電池５６、充電型電池５０或いは両端面に電極部３５を備えた円柱型電池３４の何れかが選択されて装着されるような構成になっている。
【００２１】
デジタルカメラ本体１の背面には、図２の背面斜視図に示すように、ほぼ中央位置に撮影画像や撮影モードの表示を行なうＬＣＤモニタ２１が設けられ、ＬＣＤモニタ２１の上方にファインダ接眼部２２と各種設定の表示を行なうファインダ表示窓２３とが設けられ、右手グリップ部２側にはズーム釦２４が、ズーム釦２４とＬＣＤモニタ２１間には各種のモードスイッチ２５が設けられている。
【００２２】
また、本実施の形態では、図３に示すように、開閉蓋１２は、本体カバー４０に設けられた支持軸４７を中心に、デジタルカメラ本体１内に設けられた収納室３１の開口部を解放し、また遮蔽するように回動自在に取り付けられている。この開閉蓋１２には、開閉ダイヤル３７が取り付けられており、開閉ダイヤル３７を閉じ方向に回転すると、開閉蓋ロックレバー３８の先端部３９が、本体カバー４０の内側部４１に係合して、開閉蓋１２が固定ロックされ、開閉ダイヤル３７を開方向に回転すると、開閉蓋ロックレバー３８の先端部３９が、本体カバー４０の内側部４１から外れて、開閉蓋１２が解放されるように構成されている。
【００２３】
また、開閉ダイヤル３７と開閉蓋１２間には、リング状のパッキン部材４２が挟持配置され、開閉蓋１２に形成された収納溝４５に、リング状のパッキン部材４３が配置され、本体カバー４０には、開閉蓋１２のリング状のパッキン部材４３が押圧される外側が広く、内側が狭い押圧斜面４４が形成されていて、開閉蓋１２が閉じられると、バッキン部材４３が押圧斜面４４に押圧されて防水ロックが行なわれるように構成されている。
【００２４】
本実施の形態における各種電池の選択収納動作について説明する。
先ず、デジタルカメラ本体１の収納室３１に、両端面に電極部３５を有する円柱型電池（乾電池）３４を収納装着する場合を、図３を参照して説明すると、開閉蓋１２の開閉ダイヤル３７を開方向に回転し、開閉蓋ロックレバー３８の先端部３９の本体カバー４０の内側部４１との係合を解除して開閉蓋１２を開き、収納室３１の開口部を解放状態にし、収納室３１内に円柱型電池３４を挿入する。そして、開閉蓋１２を閉じて、開閉ダイヤル３７を閉じ方向に回転すると、開閉蓋１２に取り付けられた電池接片３６が、円柱型電池３４の電極部３５に電気接触した状態で、開閉蓋ロックレバー３８の先端部３９が、本体カバー４０の内側部４１に係合して、開閉蓋１２が収納室３１の開口部を閉鎖する。この閉鎖状態で、開閉蓋１２は固定ロックされ、開閉蓋１２が閉じられることにより、バッキン部材４３が押圧斜面４４に押圧され、また、開閉蓋１２と開閉ダイヤル３７間にパッキング４２が挟持されることによって、固定ロックされた開閉蓋１２によつて、収納室３１には防水密閉状態が設定される。
【００２５】
次に、デジタルカメラ本体１の収納室２１に、ほぼ長方体状の充電型電池５０を装着する場合を、図４を参照して説明すると、開閉蓋１２の開閉ダイヤル３７を開方向に回転し、開閉蓋ロックレバー３８の先端部３９の本体カバー４０の内側部４１との係合を解除して開閉蓋１２を開き、収納室３１の開口部を解放状態にし、収納室３１内に充電型電池５０を挿入する。
この挿入時には、スプリング５２が弾性変形することにより、電池ロック爪５３が撓んで充電型電池５０が収納室の端面まで挿入されると、スプリング５２が弾性復帰して、電池ロック爪５３が原位置に復帰し、電子ロック爪５３の先端部５４が、充電型電池５０の後端面５１に弾性係合される。
【００２６】
この状態で、開閉蓋１２を閉じて、開閉ダイヤル３７を閉じ方向に回転すると、収納室３１内に設けられた図示せぬ接片に、充電型電池５０の図示せぬ電極部が電気接触した状態で、開閉蓋ロックレバー３８の先端部３９が、本体カバー４０の内側部４１に係合して、開閉蓋１２が収納室３１の開口部を閉鎖する。この閉鎖状態で、開閉蓋１２は固定ロックされ、開閉蓋１２が閉じられることにより、バッキン部材４３が押圧斜面４４に押圧され、また、開閉蓋１２と開閉ダイヤル３７間にパッキング４２が挟持されることによって、固定ロックされた開閉蓋１２によつて、収納室３１には防水密閉状態が設定される。
この場合、開閉蓋１２を閉じると、開閉蓋１２に設けられた凸部４９が、充電型電池５０の後端面５１を押圧するので、ユーザによる充電型電池５０の収納室３１内への挿入が不十分でも、電池ロック爪５３の先端部５４が、充電型電池５０の後端面５１に係合する位置まで、充電型電池５０は収納室３１内で押し込まれ、充電型電池５０の装着は常に適確に行なわれる。
【００２７】
さらに、デジタルカメラ本体１の収納室３１に、電源コード５５が接続され、外部から電源が供給されるほぼ長方体状のダミー電池５６を装着する場合を、図５を参照して説明すると、開閉蓋１２の開閉ダイヤル３７を開方向に回転し、開閉蓋ロックレバー３８の先端部３９の本体カバー４０の内側部４１との係合を解除して開閉蓋１２を開き、収納室３１の開口部を解放状態にし、収納室３１内にダミー電池５６を挿入する。
この挿入時には、スプリング５２が弾性変形することにより、電池ロック爪５３が撓んでダミー電池５６が収納室３１の端面まで挿入されると、スプリング５２が弾性復帰して、電池ロック爪５３が原位置に復帰し、電子ロック爪５３の先端部５４が、ダミー電池５６の後端面５７に弾性係合され、ダミー電池５６は収納室３１内に固定保持される。
この場合、収納室３１内に設けられた図示せぬ接片に、ダミー電池５６の図示せぬ電極部が電気接触した状態で、ダミー電池５６は収納室３１内に固定保持され、ダミー電池５６に接続された電源コード５５は、デジタルカメラ本体１の側面において、半開きに設定された開閉蓋１２の間隙からデジタルカメラ本体１の側面から外部に導出される。
【００２８】
なお、ダミー電池５６或いは充電型電池５０の収納室３１への収納時に、ダミー電池５６の後端面５７或いは充電型電池５０の後端面５１に先端部５４が弾性係合される電池ロック爪５３は、図５に示すように、収納室３１の下部に設けられており、同図に２点鎖線で示すように、収納室の上部に挿入される円柱型電池３４の挿入・離脱を阻止することはない。
【００２９】
以上に説明したように、本実施の形態によると、デジタルカメラ本体１内に設けられる収納室３１のデジタルカメラ本体１の側面に形成された開口部を、解放或いは閉鎖するように、支持軸４７を中心に開閉自在に、開閉ダイヤル３７を備えた開閉蓋１２が取り付けられ、開閉ダイヤル３７を閉じ方向に回転すると、開閉蓋ロックレバー３８の先端部３９が、本体カバー４０の内側部４１に係合して、開閉蓋１２を固定ロックし、開閉ダイヤル３７を開方向に回転すると、開閉蓋ロックレバー３８の先端部３９が、本体カバー４０の内側部４１から外れて、開閉蓋１２が解放される。
また、収納室３１の下部には、先端部５４を備えた電池ロック爪５３がスプリング５２により弾性変形自在に取り付けられ、充電型電池５０或いはダミー電池５６の収納時に、電池ロック爪５３が撓んで、充電型電池５０或いはダミー電池５６が収納室の端面まで挿入されると、スプリング５２が弾性復帰し、電池ロック爪５３が原位置に復帰し、電子ロック爪５３の先端部５４が、充電型電池５０の後端面５１或いはダミー電池５６の後端面５７に弾性係合する。一方、円柱型電池３４の収納時には、  開閉蓋１２に取り付けられた電池接片３６が、円柱型電池３４の電極部３５を押圧して、円柱型電池３４が収納室３１内に固定保持される。
【００３０】
このために、本実施形態によると、円柱型電池３４、充電型電池５０、或いはダミー電池５６の収納室３１への選択収納時において、収納室３１内に充電型電池５０或いはダミー電池５６を収納する場合には、挿入時のスプリング５２の弾性変形により撓んだ電池ロック爪５３の先端部５４が原位置に復帰し、充電型電池５０の後端面５１或いはダミー電池５６の後端面５７に弾性係合して、充電型電池５０或いダミー電池５６が、収納室３１内に固定保持され、円柱型電池３４の場合は、開閉蓋１２に取り付けられた電池接片３６が、円柱型電池３４の電極部３５を押圧して、円柱型電池３４が収納室３１内に固定保持される。
そして、充電型電池５０或いは円柱型電池３４の収納時には、開閉蓋１２が固定ロックされ、バッキン部材４３が押圧斜面４４に押圧され、また、開閉蓋１２と開閉ダイヤル３７間にパッキング４２が挟持されることによって、固定ロックされた開閉蓋１２によつて、収納室３１は防水密閉状態に設定される。
また、ダミー電池５６の収納時には、デジタルカメラ本体１の側面に形成された収納室３１の開口部から、側方に電源コード５５を導出した状態で、収納室３１内にダミー電池５６が固定保持される。
【００３１】
このようにして、本実施の形態によると、接続ジャックなどの付加部品のない小型化された簡単で低製造コストの構成で、円柱型電池３４、充電型電池５０或いはダミー電池５６を、カメラの撮影条件や撮影雰囲気の条件に対応して、簡単な操作によりスムーズに選択して電源として使用することが可能であり、円柱型電池３４或いは充電型電池５０の収納装着時には、開閉蓋１２によってデジタルカメラ本体１を固定ロックし、押圧斜面４４に押圧されるパッキン部材４３と、開閉蓋１２と開閉ダイヤル３７間に挟持されるパッキング４２によって、デジタルカメラ本体１を完全に防水密閉状態にし、悪天候時の屋外で、デジタルカメラによる撮影を安全且つスムーズにに行なうことが可能になり、ダミー電池５６の収納装着時には、開閉蓋１２を半開きにした状態で、デジタルカメラ本体１の側面から電源コード５５を導出し、デジタルカメラ本体１を机などに安定に置いて、撮影動作を能率的に行なうことが可能になる。
【００３２】
［第２の実施の形態］
本発明の第２の実施の形態を、図６、図７及び図８を参照して説明する。
図６は本実施の形態のダミー電池収納時の構成を示す断面説明図、図７は本実施の形態のダミー電池収納部時の構成を示す側面図、図８は本実施の形態の充電型電池収納時の構成を示す断面説明図である。
【００３３】
本実施の形態では、すでに説明した第１の実施の形態において、図４に示すように、収容室３１の一内周面にスプリング５２を介して突出配設される電子ロック爪５３に代えて、図６及び図７に示すように、収容室３１の一内周面には、クリック板６５が取り付けられ、このクリック板６５に係合して図６に示す矢印Ｙ方向に切換え摺動される電池固定保持爪６３が設けられている。電池固定保持爪６３の下部には、係合凹部６６ａ、６６ｂが形成され、電池固定保持爪６３は、この係合凹部６６ａ、６６ｂ位置でクリック板６５と係合するように構成されている。
そして、クリック板６５が係合凹部６６ｂと係合した状態では、電池固定保持爪６３の先端係合部６４が、収納室３１内部に収納されるダミー電池５６の鎖線で示す位置にある開口面側の端面５６Ｅと係合して、ダミー電池５６が収納室３１内に安定に固定保持され、クリック板６５が係合凹部６６ａと係合した状態では、収納室３１から取出し可能なダミー電池５６の実線位置にある端面５６Ｅは、電池固定保持爪６３の先端係合部６４の一部によって、開口部からの放出が防止されるよう係止されるように構成されている。
【００３４】
さらに、収納室３１内に収納されるダミー電池５６の一周面に対接して、摩擦プレート部材６２が配設され、ダミー電池５６の摩擦プレート部材６２との対接面に対向するダミー電池５６の周面には、先端部でダミー電池５６と対接するレバー部材６１が配設されており、収納室３１内にはレバー部材６１の先端部をダミー電池５６の周面に押圧する偏倚ばね６０が配設されている。
【００３５】
このような構成の本実施の形態では、ダミー電池５６の使用時には、開閉蓋１２を開き、収納室３１の開口部を解放状態にし、収納室３１内にダミー電池５６を端面５６Ｅが図６の鎖線位置に達するまで挿入して、電池固定保持爪６３を、係合凹部６６ｂがクリック板６５と係合する位置まで、矢印Ｙ方向に摺動させることにより、電池固定保持爪６３の先端係合部６４がダミー電池５６の端面５６Ｅと係合され、偏倚ばね６０のばね力によって、レバー部材６１の先端部が、ダミー電池５６を摩擦プレート部材６２に押圧する。
このために、ダミー電池５６は、収納室３１内で摩擦プレート部材６２に押圧され、端面５６Ｅが固定保持爪６３で保持された状態で、収納室３１内に安全に固定保持され、デジタルカメラ本体１を傾斜させた状態で撮影を行なっても、ダミー電池５６が収納室３１から離脱する事故は完全に防止可能になる。
【００３６】
また、ダミー電池５６の収納室３１からの取出し時には、電池固定保持爪６３を、係合凹部６６ａがクリック板６５と係合する位置まで、矢印Ｙと反対方向に摺動すると、電池固定保持爪６３の先端係合部６４の一部が、ダミー電池５６の端面５６Ｅの縁部に係止された状態となる。
このために、偏倚ばね６０のばね力に抗して、先端係合部６４の一部との係止を解除して、ダミー電池５６を収納室３１内から取り出すことができるが、電池固定保持爪６３の先端係合部６４の一部のダミー電池５６の端面Ｅの縁部との係止によって、ダミー電池５６が本体カバー４０の開口部から飛び出し落下する事故を完全に防止することが可能になる。
【００３７】
なお、充電型電池５０の収納時には、図８に示すように、開閉蓋１２の凸部４９Ａが、充電型電池５０の端面５０Ｅと対接するので、電池固定保持爪６３による充電型電池５０の保持固定は必要ないが、電池固定保持爪６３による保持固定を併用することも可能である。
本実施の形態のその他の動作及び効果は、すでに説明した第１の実施の形態と同一なので、重複する説明は行なわない。
【００３８】
ところで、本発明は以上に説明した各実施の形態に限定されるものではなく、例えば、各実施の形態に対して、開閉蓋１２が閉鎖されロック状態になったことを検出して、デジタルカメラの電源のＯＮが許容され、水漏れ事故の発生やメモリカード３３の誤抜き取りにより、記録内容の破壊の発生を防止する構成とすることも可能である。
【００３９】
【発明の効果】
請求項１記載の発明には、電源コードが接続され、該電源コードを介して、外部電源が供給されるダミー電池、または充電型電池が収納される収納室と、該収納室の開口部を解放状態に設定し、または遮蔽状態に設定する開閉蓋とが設けられており、充電型電池の収納室への収納時には、防水ロック手段によって、開閉蓋が収納室の開口部を防水ロックするので、充電型電池が電源として収納される収納室の開口部が開閉蓋で防水ロックされた状態で、充電型電池を電源とするデジタルカメラを、雨天時の屋外でも安全に携帯して撮影をスムーズに行なうことが可能になる。
また、電源コードが接続され、該電源コードを介して、外部電源が供給されるダミー電池が電源として収納室に収納される場合は、保持固定手段によって、開閉蓋が半開状態に設定され、電源コードがカメラ本体から外部に導出された状態で、ダミー電池が収納室内に固定保持されるので、ジャック差込コネクタなどの付加部材が不要で、簡単小型化された低製造コストの構成で、ダミー電池を電源とするデジタルカメラによって、室内での撮影をスムーズに行なうことが可能になる。
【００４０】
請求項２記載の発明には、電源コードが接続され、該電源コードを介して、外部電源が供給されるダミー電池、充電型電池及び両端面に電極端子を備えた円柱型電池の何れかが収納される収納室と、該収納室の開口部を解放状態に設定し、または、遮蔽状態に設定する開閉蓋とが設けられており、充電型電池の収納室への収納時には、第１の防水ロック手段によって、開閉蓋が収納室の開口部を防水ロックし、円柱型電池の電池室への収納時には、第２の防水ロック手段によって、開閉蓋に具備された導電接片が、円柱型電池の電極端子に接触した状態で、開閉蓋が収納室の開口部を防水ロックするので、充電型電池と円柱型電池とを任意に選択して、充電型電池或いは円柱型電池が、電源として収納される収納室の開口部が開閉蓋で防水ロックされた状態で、充電型電池或いは円柱型電池を電源とするデジタルカメラを、雨天時の屋外でも安全に携帯して撮影をスムーズに行なうことが可能になる。
また、電源コードが接続され、該電源コードを介して、外部電源が供給されるダミー電池が電源として収納室に収納される場合は、保持固定手段によって、開閉蓋が半開状態に設定され、電源コードがカメラ本体から外部に導出された状態で、ダミー電池が収納室内に固定保持されるので、ジャック差込コネクタなどの付加部材が不要で、簡単小型化された低製造コストの構成で、ダミー電池を電源とするデジタルカメラによって、室内での撮影をスムーズに行なうことが可能になる。
【００４１】
請求項３記載の発明によると、請求項１または請求項２記載の発明で得られる効果に加えて、収納室の開口部がカメラ本体の一方の側面に設けられ、開閉蓋がこの開口部の一縁辺部を中心に開閉自在に取り付けられているので、ダミー電池を電源として使用する場合に、カメラ本体を机などに載置した場合に、カメラ本体の側面から電源コードが導出され、開閉蓋も該側面方向に解放されているので、カメラ本体が机などに安定に載置され、カメラ本体の落下事故などの発生を防止することが可能になる。
【００４２】
請求項４記載の発明によると、請求項２または請求項３記載の発明での効果に加えて、固定保持手段のダミー電池の保持部材が、収納室内において、円柱型電池の挿入・離脱を阻止しない位置に設けられているので、ダミー電池と円形型電池との交換操作時に、電池の脱離と装着とを交換事故を起こすことなくスムーズに行なうことが可能になる。
【００４３】
請求項５記載の発明によると、請求項１ないし請求項４の何れかに記載の発明で得られる効果に加えて、ダミー電池の一周面に対接して収納室内に摩擦プレート部材が配設され、偏倚手段によって、ダミー電池が摩擦プレート部材に押圧され、固定保持手段が、ロック位置とロック解除位置とに切換自在で、ダミー電池の収納室への収納時にはロック位置に切換えられ、ダミー電池の開口部側の端面に対接係合して、ダミー電池は収納室内に安定に固定保持され、ダミー電池の収納室からの取出し時にはロック解除位置に切換えられ、ダミー電池の端面の縁部と係止して、ダミー電池の開口部からの放出が防止されるので、ダミー電池の使用時に、カメラ本体が傾斜姿勢で使用されても、ダミー電池を収納室内に安定に保持固定することが可能になると共に、ダミー電池の取出し時にダミー電池の収納室からの放出落下を防止することが可能になる。
【図面の簡単な説明】
【図１】本発明の第１の実施の形態の構成を示す前面斜視説明図である。
【図２】同実施の形態の構成を示す背面斜視説明図である。
【図３】同実施の形態の円柱型電池収納時の構成を示す断面説明図である。
【図４】同実施の形態の充電型電池収納時の構成を示す断面説明図である。
【図５】同実施の形態のダミー電池収納時の構成を示す側面図である。
【図６】本発明の第２の実施の形態のダミー電池収納時の構成を示す断面説明図である。
【図７】同実施の形態のダミー電池収納部時の構成を示す側面図である。
【図８】同実施の形態の充電型電池収納時の構成を示す断面説明図である。
【符号の説明】
１  デジタルカメラ本体
１２  開閉蓋
３１  収納室
３４  円柱型電池
３５  電極部
３６  電池接片
３７  開閉ダイヤル
３８  開閉蓋ロックレバー
４０  本体カバー
４２、４３  パッキン部材
４４  押圧斜面
４５  収納溝
５０  充電型電池
５２  スプリング
５３  電池ロック爪
５５  電源コード
５６  ダミー電池
６０  偏倚ばね
６１  レバー部材
６２  摩擦プレート部材
６３  電池固定保持爪
６５  クリック板
【図１】
2004191917.tif 000003
【図２】
2004191917.tif 000004
【図３】
2004191917.tif 000005
【図４】
2004191917.tif 000006
【図５】
2004191917.tif 000007
【図６】
2004191917.tif 000008
【図７】
2004191917.tif 000009
【図８】
2004191917.tif 000010